(57)【特許請求の範囲】
【請求項１】
夫々巻芯の中空の端部に挿入する頭部及び該頭部の周りに突き出た鍔部からなり、同一中心軸線上に向かい合わせに配置すると共に該中心軸線上で互いに接近離反することができるように設けた、巻芯の両端を保持する一対の押しコップのうちの、前記巻芯の端部に挿入した前記頭部が巻芯に対し所定方向に所要回転角度だけ回転することにより前記巻芯の内周面を締付けることができる把持機構を前記頭部に備えた押しコップであって、前記鍔部は、前記頭部の本体の後部に固設した固定鍔と、前記固定鍔の前側に配置すると共に前記頭部の本体の外周面に回転自在に装着した、前記巻芯の端面に当接可能な回転鍔と、前記固定鍔と前記回転鍔の間に配置した、前記固定鍔と回転鍔をころがり接触させるための複数の球体又は円筒状の転動体と、前記複数の球体又は円筒状の転動体を回転可能、脱落不能に保持する保持手段とを備えることを特徴とする押しコップ。
【請求項２】
夫々巻芯の中空の端部に挿入する頭部及び該頭部の周りに突き出た鍔部からなり、同一軸線上に向かい合わせに配置すると共に該中心軸線上で互いに接近離反することができるように設けた、巻芯の両端を保持する一対の押しコップのうちの、前記巻芯の端部に挿入した前記頭部が巻芯に対して所定方向に所要回転角度だけ回転することにより前記巻芯の内周面を締め付けることができる把持機構を備えた押しコップであって、前記鍔部は、前記頭部の本体の後端に固設した固定鍔と、前記固定鍔の前側に配置すると共に前記頭部の本体の外周面に遊嵌した、巻芯の端面に当接可能な回転鍔と、前記固定鍔の前面に対向する端面及び前記頭部本体の外周面に対向する内周面を有する、前記回転鍔の内周面に設けた段部と、前記固定鍔の前面と前記段部の端面とで挟むと共に前記頭部の本体の外周面と前記段部の内周面とで挟んで保持した、前記頭部の本体並びに前記固定鍔と前記回転鍔とをころがり接触させるための複数の球体とを備えることを特徴とする押しコップ。
【請求項３】
前記把持機構は、前記頭部本体に円周方向に所定間隔をとって形成した、夫々前記頭部の本体の円周方向に低い部分と高い部分が並ぶように傾斜する複数の傾斜面と、前記傾斜面に一つずつ配設した複数の可動体と、該複数の可動体を、相互間隔を維持して傾斜面沿いに移動可能に保持する保持器とを備え、かつ前記保持器が前記回転鍔に固定してあることを特徴とする請求項１又は請求項２に記載の押しコップ。
【請求項４】
前記回転鍔の巻芯端面と対向する面に滑り止め用の弾力部材を装着した請求項３に記載の押しコップ。
【請求項５】
前記把持機構は、前記複数の可動体を包囲すると共に、前記可動体の傾斜面沿いの移動によって半径方向に拡張収縮可能な拡縮輪を備える請求項３に記載の押しコップ。
【請求項６】
前記拡縮輪の巻芯内周面と接触する外周部分は、ゴム又は合成樹脂でできていることを特徴とする請求項５に記載の押しコップ。
【請求項７】
請求項５に記載の押しコップに用いる、前記拡縮輪の外周面に装着取外し可能なアダプターリングであって、前記巻芯の中空の端部の内径に適合する外径を有するゴム又は合成樹脂製のアダプターリング。
【発明の詳細な説明】
【技術分野】
【０００１】
本発明は、帯状シートの巻取装置等において中空の巻芯を回転駆動できるように巻芯の両端部を保持するための一対の押しコップのうちの、巻芯の内周面を締付けて保持することができる押しコップ、及び、内径が少し異なる複数種類の巻芯を一つの押しコップで夫々確実に保持できるようにするために押しコップの頭部の外周に装着するアダプターリングに関する。
【背景技術】
【０００２】
従来、巻芯の両端部を保持する一対の押しコップは、同一中心軸線上に配置した一対の支持軸の対向する先端部に設けてあり、夫々中空の巻芯の端部に挿入する頭部と、巻芯を長手方向において拘束するための、前記頭部の周りに突き出た鍔部からなり、頭部の本体と鍔部とは常に一体になって回転することができるように、鍔部を頭部の本体に固定してある。そして巻芯を装着したり取り外したりするために、押しコップの支持軸を、一対の巻取アームの先端部に夫々、水平な共通の中心軸線方向にスライド可能に設け、この支持軸を流体圧シリンダ装置により中心軸線方向に駆動し、巻取アームに対して突出させたり、引っ込めたりすることで、互いに接近離反するこができるようにしたものがある（下記特許文献１参照）。また、一対の巻取アームの先端部に夫々押しコップの支持軸を中心軸線方向にスライド不能に設けると共に、巻取アームに係合する、支持軸の中心軸線方向に平行なネジ棒をモータにより回転駆動することにより巻取アームを移動し、この巻取アームと共に互いに接近離反することができるようにしたものもある（下記特許文献２参照）。
【０００３】
一対の押しコップにより保持した巻芯を回転駆動するために、一対の押しコップの少なくとも片方の押しコップの頭部に巻芯の内周面を締付ける把持機構を設け、この把持機構を設けた押しコップの頭部本体に巻取モ−タの回転駆動力を伝達する。この把持機構には、例えば、頭部の円筒状の本体に円周方向に等間隔に配置して形成した、夫々前記本体の円周方向に低い部分と高い部分が並ぶように傾斜する複数の傾斜面と、前記複数の傾斜面毎に配設した可動体とを備え、前記巻芯の端部に挿入した前記頭部が巻芯に対して前記傾斜面の低い方向に回転することにより、前記可動体が前記傾斜面に沿って該傾斜面の低い部分から高い部分へ移動し、前記傾斜面の高い部分に移動した可動体により前記巻芯の内周面を直接又は間接的に押圧することができるように構成したものがある（下記特許文献３、特許文献４及び特許文献５参照）。そしてこの把持機構は、押しコップの巻芯に対する回転角度が大きければ大きいほど可動体が傾斜面の高い位置に移動して大きい締付け力が得られる。また巻芯内周面を十分に締付けるための、押しコップの巻芯に対する所要回転角度は、押しコップ頭部の外径と巻芯の内径との差や巻芯の機械的強度に応じて変わる。
【特許文献１】実公平５−２２５２２号公報
【特許文献２】特許第２６２０７６６号公報
【特許文献３】実用新案登録第２５５４８０３号公報
【特許文献４】特公昭６１−２９３００号公報
【特許文献５】特開平２−１３８０５３号公報
【発明の開示】
【発明が解決しようとする課題】
【０００４】
ところが、上述のような従来の押しコップにより巻芯を両端支持して帯状シートの巻取りを行うとき、巻取中突然に一瞬の間、押しコップが巻芯に対して円周方向にスリップして空回りすることがある。そのとき、帯状シートの巻取張力が低下して不安定になるため、巻取中の帯状シートが一時的に幅方向にずれて巻取られ、その部分で巻取ロールの端面が不揃いとなり、その巻取ロールが不良品になることが多い。そして、これが巻取装置での歩留まり低下の原因になっている。
【０００５】
そこで、この発明は、夫々中空の巻芯の端部に挿入する頭部及び該頭部の周りに突き出た鍔部からなり、かつ同一中心軸線上に頭部を対向させて配置すると共に該中心軸線上で互いに接近離反することができるように設けた一対の押しコップに巻芯の両端部を装着して帯状シートを巻取るとき、前記一対の押しコップのうちの、巻芯の端部に挿入した頭部が巻芯に対し所定方向に所要回転角度だけ回転することによって巻芯の内周面を締付けて保持することができる押しコップにおいて、その頭部が巻取中突然に巻芯に対して空回りしないようにすることを課題としている。
【０００６】
上述した問題は、例えば帯状シートを小さい巻取張力下で外径の大きい巻取ロールに巻上げる必要がある場合等に頻発する傾向があり、発明者は、問題の原因を次のように究明した。即ち、巻芯の両端部に押しコップの頭部を挿入して巻芯を両端支持するには、一対の押しコップを駆動機構の駆動力により中心軸線方向に移動して互いに接近させることが必要であり、一対の押しコップにより両端支持された巻芯の両端面には鍔部から駆動機構の駆動力に応じた押圧力が加わり、巻芯端と鍔部の間には、その押圧力に応じた摩擦力が生じ、この摩擦力に応じたトルクが鍔部から巻芯端面に伝達される。ここで、帯状シートを一対の押しコップに装着した巻芯のまわりに巻取るとき、巻取初期には巻取ロールの半径が小さいので、帯状シートの所要巻取張力を得るために押しコップを介して巻芯に加えられる巻取トルクは小さく、この巻取トルクに比べ、主として鍔部前面と巻芯端面、及び巻芯端部に挿入した頭部の外周面と巻芯内周面との間に生じる押しコップと巻芯との間の摩擦力により、押しコップから巻芯へ伝達される摩擦伝達トルクの方が大きくなる場合がある。この場合、押しコップは、押しコップと巻芯間の摩擦力により巻芯を空回りしないように保持するので、押しコップに付与した巻取トルクにより巻芯に対して空回りすることがない。しかし、上述のように押しコップは、中空の巻芯端部に挿入した頭部が巻芯に対して傾斜面の低い方向に所要角度回転することにより巻芯を締付け保持するものであるので、最初に巻芯が押しコップの頭部に対して所要角度だけ空回りしなければ、傾斜面上の可動体が傾斜面の高い部分へ移動せず、頭部への巻芯内周面への十分な締付け力が得られない。つまり巻取初期において押しコップは巻芯を把持機構により十分に締付けていない状態で保持しており、巻芯端面と鍔部前面及び巻芯内周面と頭部外周面の摩擦力のみによって巻芯に対し空回りしないようになっている。ところが、帯状シートの巻取りが進んで巻取ロールの半径が増大するにつれ、必要な巻取トルクも次第に増大する。そして、この巻取トルクが、押しコップと巻芯間の摩擦力により生じる摩擦伝達トルクより大きくなったとき、押しコップが巻芯に対し空回りして上述の問題を生じる。そして、このとき初めて、押しコップの頭部本体が巻芯に対して十分に回転し、それにより把持機構が巻芯の内周面を固く締付け、押しコップは巻芯を確実に保持できる。
【０００７】
なお、例えば一対の押しコップに付与する中心軸線方向の駆動力を調節して鍔部による巻芯端面の押圧力を小さくすることで、押しコップの鍔部と巻芯端面との摩擦力を小さくし、押しコップから巻芯へ伝達されるトルクを小さく抑えることもできる。しかし、そのようにすると、巻芯の長手方向における拘束が不確実になり、巻取中に大重量になった巻取ロールと共に巻芯が長手方向に移動にして巻取ロールの端面不揃いが生じる原因となる。またネジ棒の回転駆動により巻取アームを移動し、その巻取アームと共に一対の押しコップを互いに接近離反させる場合には、押しコップの鍔部による巻芯端面の押圧力の調整は難しく、巻芯の長さのバラツキに起因して巻芯端面の押圧力が過大になったり、巻芯端面と鍔との間に隙間ができたりすることがある。
【課題を解決するための手段】
【０００８】
そこで本発明では、巻芯の中空の端部に挿入頭部の周りに突き出た鍔部は、前記頭部の本体の後部に固設した固定鍔と、前記固定鍔の前側に配置すると共に前記頭部の本体の外周面に回転自在に装着した、前記巻芯の端面に当接可能な回転鍔と、前記固定鍔と前記回転鍔の間に配置した、前記固定鍔と回転鍔をころがり接触させるための複数の球体又は円筒状の転動体と、前記複数の球体又は円筒状の転動体を回転可能、脱落不能に保持する保持手段とを備えることを特徴とする。
【発明の効果】
【０００９】
本発明では、巻芯の端面に当接する回転鍔は、頭部の本体の外周面に回転自在に装着され、頭部本体に固設された固定鍔に対し球体又は円筒体を介してころがり接触するため、固定鍔と回転鍔間の摩擦係数を小さくして、固定鍔から回転鍔へ両者間の摩擦力により伝達されるトルクを小さくすることができ、それによって、鍔部から巻芯端面に加わる押圧力が大きくても、押しコップと巻芯間の摩擦力によって押しコップから巻芯へ伝達される摩擦伝達トルクを、巻取開始時又はその直後に必要な巻取トルクより小さく抑えることが可能になる。そして一対の押しコップの頭部を巻芯の両端部に挿入し、その巻芯に帯状シートの先端部を止めて押しコップの頭部本体を回転駆動したとき、巻芯は帯状シートに拘束されるので、頭部本体は巻芯に対して空回りしようとする。また回転鍔は、それと巻芯端面との摩擦力により巻芯に対して回転しないように拘束される。このとき、前述の巻取トルクが摩擦伝達トルクより大きければ、把持機構による巻芯内周面の締付けが不十分でも、押しコップと巻芯間の摩擦力で巻取トルクが押しコップから巻芯へ伝達されるので、押しコップは巻芯に対して空回りしない。しかし、巻取開始時又はその直後に必要な巻取トルクより前述の摩擦伝達トルクが小さいと、その巻取トルクが頭部本体から巻芯へ伝達されないため頭部本体と巻芯間で滑りを生じ、頭部本体は固定鍔と一緒に巻芯及び回転鍔に対して十分な回転角度で空回りし、それにより把持機構が働いて巻取開始時又はその直後に巻芯が固く締付けられる。なお巻取開始直後に頭部本体が巻芯に対して所要回転角度だけ回転しても、巻取速度が小さいので帯状シートは殆どずれず、また瞬時的に帯状シートが多少幅方向にずれたとしても、そのずれは巻芯のすぐ近くで起こるので、それが原因で巻取ロールが不良品になることはない。したがって、本発明によれば、鍔部を簡単な構造の僅かな部品で構成するだけで、巻取途中に押しコップが巻芯に対し巻取中突然に空回りして巻取ロールが不良品になるという問題を解決し、巻取装置の歩留を大きく向上させることができる。また鍔部が頭部に固定された既存の押しコップを、その鍔部のみの比較的簡単な改造によって本発明の押しコップに変えることができるので、資源節約の観点及び経済的観点からも都合がよい。
【発明を実施するための最良の形態】
【００１０】
本発明の押しコップでは、巻芯の中空の端部に挿入する頭部の周りに突き出た鍔部は、前記頭部の本体の後部に固設した固定鍔と、前記固定鍔の前側に配置すると共に前記頭部の本体の外周面に回転自在に装着した、前記巻芯の端面に当接可能な回転鍔と、前記固定鍔と前記回転鍔の間に配置した、前記固定鍔と回転鍔をころがり接触させるための複数の球体又は円筒状の転動体と、前記複数の球体又は円筒状の転動体を回転可能、脱落不能に保持する保持手段とを備える。
【００１１】
また、回転鍔に働く大きいスラスト荷重に対する耐久性を高めると共に回転鍔の回転抵抗を低減しかつ構造も簡素化するためには、前記鍔部は、前記頭部の本体の後端に固設した固定鍔と、前記固定鍔の前側に配置すると共に前記頭部の本体の外周面に遊嵌した、巻芯の端面に当接可能な回転鍔と、前記固定鍔の前面に対向する端面及び前記頭部本体の外周面に対向する内周面を有する、前記回転鍔の内周面に設けた段部と、前記固定鍔の前面と前記段部の端面とで挟むと共に前記固定鍔の外周面と前記段部の内周面とで挟んで保持した、前記頭部の本体並びに前記固定鍔と前記回転鍔とをころがり接触させるための複数の球体とを備えるものがよい。
【００１２】
巻芯がＡＢＳ樹脂管やＦＲＰ管等のようにプラスチックでできている場合、その巻芯の内周面の摩擦係数が紙管に比べて小さいため、押しコップの頭部が巻芯に対しスリップ回転して巻取不良を生じ易い。また同じ銘柄の巻芯であっても個々の内径寸法にはある程度のバラツキがあるので、そのバラツキに応じて巻芯の内周面と押しコップの頭部外周面との隙間の大きさが変わり、その隙間が一定の限度を越えて大きくなることがある。その場合、通常の巻芯の端部に挿入した頭部が巻芯に対して傾斜面の低い方向に回転することにより傾斜面に沿って該傾斜面の低い部分から高い部分へ可動体が移動し、その移動した可動体により巻芯の内周面を直接又は間接的に押圧するように構成した把持機構を備える従来の押しコップでは、巻始めから巻芯が空回りすることが多い。その原因は、巻芯に対して押しコップの頭部を回転させても、把持機構の可動体と巻芯との間でスリップが生じて可動体が傾斜面の高い位置に十分に移動しないからである。そこで、プラスチック製の巻芯のようにスリップし易く、巻芯内周面と押しコップの頭部外周面の隙間が大きい巻芯でも、確実に締め付け保持することができる押しコップを得るためには、押しコップの頭部に備える把持機構は、押しコップの頭部の本体に円周方向に所定間隔をとって形成した、夫々前記頭部の本体の円周方向に低い部分と高い部分が並ぶように傾斜する複数の傾斜面と、前記傾斜面に一つずつ配設した複数の可動体と、該複数の可動体を、相互間隔を維持して傾斜面沿いに移動可能に保持する保持器とを備え、かつ前記保持器が前記回転鍔に固定してあるものがよい。
【００１３】
また、巻始め時に巻芯と共に回転鍔が押しコップの本体に対して確実に所要角度だけ回転できるようにするために、回転鍔の巻芯端面と対向する面に滑り止め用の弾力部材を装着するとよい。
【００１４】
また、傾斜溝の高い部分に移動した可動体により巻芯の内周面を間接的に押圧するために、把持機構は、複数の可動体を包囲すると共に、可動体の傾斜面沿いの移動によって半径方向に拡張収縮可能な拡縮輪を備えるものにすることができる。
【００１５】
また、巻芯を更に確実に保持し巻芯の内周面が傷ついたり、巻芯の内周面が削られてその削り粉が飛散したりするのを防ぐには、前記把持機構は、複数の可動体を包囲すると共に、前記可動体の傾斜面沿いの移動により半径方向に拡張収縮可能な拡縮輪を備え、該拡縮輪の巻芯内周面と接触する外周部分は、ゴム又は合成樹脂でできているものが効果的である。
【００１６】
また一つの押しコップで、端部の内径が少し異なる複数種類の巻芯を確実に保持できるようにするために、巻芯の中空部の内径に適合する外径を有する、前記拡縮輪の外周面に装着取外し可能なゴム又は合成樹脂製のアダプターリングを準備するとよい。
【実施例１】
【００１７】
図１は、本発明の一実施例に係る押しコップの縦断面図であり、押しコップ１は、中空の巻芯Ｃの両端部に挿入する頭部２と該頭部２の周りに突き出た鍔部３とからなる。頭部２は、円筒状の本体４を備えており、この本体４は支持軸５の先端部に固着してある。
【００１８】
鍔部３は、頭部２の本体４の外周面の後部に固設した固定鍔６と、固定鍔６の前側に配置すると共に本体４の外周面に回転自在に装着した回転鍔７と、固定鍔６と回転鍔７の間に配置した複数の球体８と、複数の球体８を回転可能、脱落不能に保持する保持手段９とを備える。
【００１９】
保持手段９は、球体８の直径より僅かに幅が小さく、図２に示すように各球体８の保持位置に球体８の外径より僅かに内径が大きい孔１０を有する環状体からなり、球体８を孔１０に入れた状態で保持する。回転鍔７は環状に形成してあり、この回転鍔７及び保持手段９は本体４の外周面にすきまばめしてある。本発明では必要に応じて球体８をコロ又はローラのような円筒状の転動体に変えることもできる。
【００２０】
また頭部２には、支持軸５から本体４に伝達される回転を更に巻芯Ｃへ伝達できるようにするために、巻芯Ｃの内周面を締付けることができる把持機構１１が設けてあり、この把持機構１１は、頭部の本体４に円周方向に等間隔に配置して形成した、夫々頭部の本体４の円周方向に低い部分と高い部分が並ぶように傾斜する複数の傾斜面１２と、中空の巻芯Ｃの端部に挿入した頭部２が巻芯Ｃに対し傾斜面１２が低くなる方向に所要回転角度だけ回転することにより傾斜面１２に沿ってその低い部分から高い部分へ移動する、傾斜面１２毎に配設した可動体１３を備え、傾斜面１２の高い部分に移動した可動体１３により巻芯Ｃの内周面を押圧することができるように構成してある。この実施例の場合、把持機構１１は、実用新案登録第２５５４８０３号公報（前記特許文献３）の第２図及び第３図に示すものと同様に構成されており、可動体１３はローラであり、複数のローラ１３を保持器１４により所定の間隔で転動可能に保持すると共に、一箇所に切れ目のある拡縮輪１５により包囲しており、可動体１３は拡縮輪１５を介して間接的に巻芯Ｃの内周面を押圧する。また傾斜面の長手方向の中央部が低く両端が高くなるように形成してあるので、巻芯内周面締付けのための巻芯に対する頭部の所定回転方向は正転逆転両方向になる。この把持機構１１は巻芯Ｃの頭部２に対する偏心が是正され易いようにその巻芯内周面を締め付けるので、このとき巻芯Ｃの半径方向の移動が円滑に行われるように、回転鍔７の内周面と頭部２の外周面との間に、巻芯Ｃの内径の寸法公差に応じて適当な隙間を設けるとよい。
【実施例２】
【００２１】
図３乃至図５は、巻芯の内周面の摩擦係数が小さい場合や、巻芯内径のばらつきが大きい場合に有効な本発明の他の実施例を示す。押しコップ１の鍔部３は、頭部２の本体４の外周面の後部に固設した固定鍔６と、この固定鍔６の前側に配置すると共に頭部２の本体４の外周面に回転自在に装着した、巻芯Ｃの端面に当接可能な回転鍔７と、固定鍔６と回転鍔７の間に配置した、固定鍔６と回転鍔７をころがり接触させるための複数の球体８と、複数の球体８を回転可能、脱落不能に保持する保持手段９とを備える。頭部２に設けた把持機構１１は、頭部２の本体４に円周方向に等間隔に配置した、夫々本体４の円周方向に低い部分と高い部分が並ぶように傾斜する８つの傾斜面１２と、傾斜面１２毎に配設した、ローラからなる可動体１３と、該可動体１３を、相互間隔を保って傾斜面沿いに転動可能に保持する保持器１４とを備え、かつ巻芯Ｃの端部に挿入した頭部２が巻芯Ｃに対して所定方向（図４では時計方向）に回転することにより、可動体１３が傾斜面１２に沿って該傾斜面１２の低い部分から高い部分へ移動し、傾斜面１２の高い部分に移動した可動体１３により巻芯Ｃの内周面を、拡縮輪１５を介して間接的に押圧することができるように構成してあり、保持器１４は回転鍔７に固設してある。
【００２２】
図５に示すように保持器１４及び回転鍔７は一つの部材から形成してあり、保持器１４は、回転鍔７の前側の円筒部分からなり、可動体１３を受け入れる凹部１４ａを各傾斜面１２に対応する箇所に有し、各凹部１４ａは、円筒部分の前側端面から所定の深さ、かつ可動体１３の外径より僅かに広い幅に形成している。
【００２３】
拡縮輪１５は、傾斜面１２毎に配置した可動体１３を包囲しており、可動体１３の傾斜面１２沿いの移動により半径方向に拡張収縮可能である。頭部本体４の巻芯Ｃに対する回転力が小さくても可動体１３が傾斜面１２沿いに移動して拡縮輪１５が半径方向に拡張できるようにするために、拡縮輪１５の１箇所に切れ目１５ａを設けている。また外周面には摩擦係数を高めるためにローレット掛けがしてある。
【００２４】
この実施例の押しコップ１を含む一対の押しコップを巻芯Ｃの両端に挿入すると、押しコップ１では、回転鍔７の前面が巻芯Ｃの端面に当たって回転鍔７の前面と巻芯Ｃの端面間に摩擦力が生じる。そして巻芯Ｃに帯状シートの先端を止着して押しコップ１の頭部の本体４に回転力を加え、頭部の本体４を巻芯Ｃに対して所定方向に回転させたとき、保持器１４は回転鍔７に固設してあるので、巻芯Ｃの内径が標準値より大きく巻芯Ｃの内周面と頭部２の外周面との隙間が大きくなって、拡縮輪１５の外周面と巻芯Ｃの内周面との間で必要な摩擦力が得られなかったとしても、回転鍔７及び保持器１４は、巻芯Ｃの端面と回転鍔７の前面との摩擦力により巻芯Ｃと一緒に頭部の本体４に対して回転すると共に、可動体１３も保持器１４の回転に伴い傾斜面１２の高い部分に確実に移動することができる。したがって、この実施例の押しコップによれば、巻芯を把持機構により確実に締め付け保持することができる。
【実施例３】
【００２５】
図６乃至図８は、本発明の更に別の実施例に係る押しコップを示す。鍔部３は、頭部２の本体４の後端に固設した固定鍔６と、固定鍔６の前側に配置すると共に頭部本体４の外周面に遊嵌した、巻芯Ｃの端面に当接可能な回転鍔７と、固定鍔６の前面６ａに対向する端面１７ａ及び頭部本体４の外周面４ａに対向する内周面１７ｂを有する、回転鍔７の内周面７ａに設けた段部１７と、固定鍔６の前面と段部１７の端面とで挟むと共に頭部本体４の外周面４ａと段部１７の内周面１７ｂとで挟んで保持した、頭部本体４並びに固定鍔６と回転鍔７とをころがり接触させるための多数の球体８とを備える。段部１７に球体８を収容できるようにするために、段部１７の内径（半径）は頭部本体４との嵌め合い部分の内径より球体８の直径の分だけ大きく、段部１７の幅は球体８の直径より僅かに小さくしてある。この実施例の押しコップによれば、多数の球体８を介して固定鍔６の前面６ａと段部１７の端面１７ａとがころがり接触すると共に頭部本体４の外周面４ａと回転鍔７の段部１７の内周面１７ｂとが転がり接触し、各球体８が、回転鍔７に働く大きいスラスト荷重を分散して支えると共にラジアル荷重を支えるので、スラスト荷重に対する耐久性を高めると共に、回転鍔７の回転抵抗を低減しかつ構造も簡素化することができる。
【００２６】
また、巻始め時に巻芯と共に回転鍔７が頭部本体４に対して確実に所要角度だけ回転できるようにするために、図６に示すように、回転鍔７の、巻芯Ｃの端面に対向する面に、滑り止め用の弾力部材１６が装着してある。この弾力部材１６は、ウレタンゴム製の輪でできており、回転鍔７の前面で巻芯Ｃの端面を押圧したとき必要以上に圧縮されないようにするために、図８に示すように回転鍔７の巻芯Ｃの端面に対向する面７ｂに形成した円周方向の溝１８に、その一部分が溝１８から突き出でる状態で収容してある。なお弾力部材１６は、ウレタンゴム、ニトリルゴム、ネオプレンゴム等ゴムのような弾力と摩擦係数をもつ合成樹脂などの他の材料でできたものでもよく、また溝に収容せずに回転鍔の７の小径部分の外周面に単に嵌めておいてもよく、また輪に限らず、回転輪の前面に環状に並ぶように形成した複数の溝に一部分が突出するように装着したものでもよい。回転鍔の巻芯端面と対向する面に滑り止め用の弾力部材を装着したことより、巻芯と回転鍔との間の摩擦力が増大するので、押しコップにより巻芯Ｃを保持するとき、押しコップの回転鍔による巻芯端面への押圧力を小さくしても、回転鍔７及び保持器１４を頭部本体４に対して確実に回転させることができる。したがって押しコップを支持する支持軸に加えるスラスト力を小さくし、巻芯の長手方向の圧縮力を小さくすることができ。また巻芯の端面がその中心軸線に対して僅かに傾いていたり、端面に多少の凹凸があったりしても、固定鍔と回転鍔とをころがり接触させる各球体又は円筒状の転動体が個々に受ける荷重は均一化される。したがって、支持軸を支持するベアリングや固定鍔と回転鍔とをころがり接触させる複数の球体又は円筒体の寿命が延び、耐久性の高い押しコップを得ることができる。
【００２７】
図９は、前述した把持機構における拡縮輪の変更態様を示す。図９（Ａ）は拡縮輪の一部分の、押しコップ中心軸線沿いの断面、図９（Ｂ）は同じく押しコップ中心軸線に垂直方向の断面を示す。図９に示す拡縮輪１５は、巻芯Ｃの内周面と接触する外周部分１５ｂがゴムでできており、図３や図５の実施例に示す拡縮輪１５と同様に複数の可動体を包囲する。この拡縮輪１５は、一箇所に切れ目１５ａを有し、例えば鋼材からなる金属環の外周面に、ウレタンゴムを焼き付け固着して外周部分１５ｂを形成した後、１箇所を切断して形成してあるので、外周部分１５ｂが脱落しにくく耐久性が大きい。拡縮輪１５の外周部分１５ｂは、ウレタンゴムの代わりにニトリルゴム、ネオプレンゴム等とのゴムや、これらのゴムと類似の弾力性及び摩擦係数を有する合成樹脂で形成してもよい。この拡縮輪を用いれば、把持機構が巻芯の内周面と接触する外周部分がゴムでできている拡縮輪を備えることにより、巻芯の内周面と拡縮輪の外周面との摩擦力が大きくなるので、巻芯を更に確実に締め付けることができる。また巻芯の内周面を弾力的に押圧することができるので、巻芯の内周面が傷ついたり、巻芯の内周面が削られてその削り粉が飛散したりするのを防ぐことができる。
【実施例４】
【００２８】
図１０乃至図１２は、本発明の更に別の実施例を示す。この押しコップでは、巻芯Ｃの内周面を締め付ける把持機構１１が、複数の可動体１３を包囲すると共に可動体１３の傾斜面１２沿いの移動によって半径方向に拡張収縮可能な一箇所に切れ目のある金属製の拡縮輪１５を備える点は図６に示す実施例と同様であるが、一つの押しコップで、巻芯の中空の端部内径が少し異なる複数種類の巻芯を確実に保持できるようにするために、拡縮輪１５の外周にゴム又は弾力性のある合成樹脂でできたアダプターリング１９を嵌めて取付けてある点が図６に示す実施例と異なる。このアダプターリング１９は、拡縮輪１５の外周面に装着取外し可能であり、巻芯Ｃの端部の内径に適合する外径を有する。また巻芯の装着を円滑にするために、図１２に示すように先端部に、先端に行くにつれて外径が小さくなるように傾斜した外周面１９ａを有する。押しコップの頭部２の本体４の前端には、ローラ１３及び拡縮輪１５並びにアダプターリング１９が巻芯Ｃの長手方向に脱落しないように拘束するための、アダプターリング１９の内径より外径が大きいカバー２０が固着してあり、このカバー２０には、その外周に１箇所又は複数箇所に溝２１が設けてあるので、この溝２１を通して拡縮輪１５とアダプターリング１９と境目に、例えばすりわり付き小ねじ用のねじ回しのように先が尖っている棒の先端部を差し込んで持ち上げることにより、アダプターリング１９をカバー２０の外径より大きく拡張させて拡縮輪１５から抜取ることができる。それゆえ、拡縮輪１５からのアダプターリング１９の取外しが容易に行える。アダプターリング１９は、巻取りに使用する巻芯の端部内径の種類に応じて、各巻芯の端部内径に適合する外径を有するものを準備しておく。使用する巻芯の内径の種類に応じて、例えば巻芯の内径が１ミリメートル大きくなる毎に、内径を変えずに厚みを１ミリメートルずつ大きくしたアダプターリングを準備する。そして使用する巻芯の内径が変わると、拡縮輪１５上のアダプターリング１９を、その巻芯Ｃの内径に応じた外径を有するものと交換する。なお同じ外径の複数のアダプターリングを拡縮輪の外周に前後に並べて装着するようにしてもよい。
【００２９】
本発明では必要に応じて把持機構を、保持器から可動体の一部が突出するように構成し、この可動体の一部で巻芯の内周面を直接押圧するものとしてもよい。また拡縮輪を、複数の断片を弾力的な連結手段（例えばコイルバネやゴム）により輪状に連結したものに替えてもよい。保持器と回転鍔を夫々別の部材で形成し、ボルト等の公知の固着手段により保持器を回転鍔に固定してもよい。
【図面の簡単な説明】
【００３０】
【図１】本発明の一実施例に係る押しコップの中心軸線沿いの断面図である。
【図２】押しコップの中心軸線方向に見た保持手段の正面図である。
【図３】本発明の他の実施例に係る押しコップの中心軸線沿いの断面図である。
【図４】図３に示す切断線Ａ−Ａ沿いの押しコップの断面を矢印Ｂ方向に見た断面図である。
【図５】回転鍔の前側に固設した保持器の斜視図である。
【図６】本発明の更に他の実施例に係る押しコップの中心軸線沿いの断面図である。
【図７】図６に示す切断線Ｄ−Ｄ沿いの押しコップ断面を矢印Ｅ方向に見た断面図である。
【図８】図６に示す押しコップの鍔部の拡大断面図である。
【図９】拡縮輪の別の変更態様の説明図である。
【図１０】本発明の更に別の実施例に係る押しコップの下半分を省略した断面図である。
【図１１】図１０に示す押しコップ頭部の外周付近を示す部分正面図である。
【図１２】図１０に示すアダプターリングの斜視図である。
【符号の説明】
【００３１】
Ｃ  巻芯
１  押しコップ
２  頭部
３  鍔部
４  本体
５  支持軸
６  固定鍔
７  回転鍔
８  球体
９  保持手段
１０  孔
１１  把持機構
１２  傾斜面
１３  可動体
１４  保持器
１５  拡縮輪
１５ａ  外周部分
１６  弾力部材
１７  段部
１９  アダプターリング
２０  カバー
２１  溝
【図１】
0004771149.tif 000002
【図２】
0004771149.tif 000003
【図３】
0004771149.tif 000004
【図４】
0004771149.tif 000005
【図５】
0004771149.tif 000006
【図６】
0004771149.tif 000007
【図７】
0004771149.tif 000008
【図８】
0004771149.tif 000009
【図９】
0004771149.tif 000010
【図１０】
0004771149.tif 000011
【図１１】
0004771149.tif 000012
【図１２】
0004771149.tif 000013